(57)【要約】【課題】操作性に優れ、カウントミスを有効に防止できるように改良されたガーゼカウントホルダを提供する。【解決手段】保持するガーゼ５の枚数に等しい数の開口部１０と、各開口部を部分的に閉止する揺動フラップ２０と、を備えるガーゼカウントホルダ。揺動フラップ２０は、開口部の全体を開口状態とする開位置と、同開口部１０を部分的に閉止する閉位置との間を揺動可能である。また、開口部１０は、相対的に開口面積の大きな大開口領域と、相対的に開口面積の小さな小開口領域とを含む。開口部１０にガーゼ５を挿通した状態で、揺動フラップ２０を閉位置まで揺動させると、大開口領域１１のみが実質的に閉止され、小開口領域１２にガーゼが保持される。【選択図】図１
2012029985.tif 000002
【特許請求の範囲】
【請求項１】
保持するガーゼ（５）の枚数に等しい数の開口部（１０）と、各開口部を部分的に閉止する揺動フラップ（２０）と、を備えるガーゼカウントホルダであって、
（ア）揺動フラップ（２０）は、上記開口部（１０）の全体を開口状態とする開位置と、同開口部（１０）を部分的に閉止する閉位置と、の間を揺動可能であり、
（イ）上記開口部（１０）は、相対的に開口面積の大きな大開口領域（１１）と、相対的に開口面積の小さな小開口領域（１２）とを含み、
（ウ）上記開口部（１０）にガーゼ（５）を挿通した状態で、揺動フラップ（２０）を閉位置まで揺動させると、大開口領域（１１）のみが実質的に閉止され、小開口領域（１２）にガーゼが保持される、ガーゼカウントホルダ。
【請求項２】
上記小開口領域（１２）の開口面積が、実質上、ガーゼ１枚だけを保持できる拡がりを有する、請求項１記載のガーゼカウントホルダ。
【請求項３】
上記揺動フラップ（２０）は、これを操作する指と係合する指掛かり部（２５）を備える、請求項１または２記載のガーゼカウントホルダ。
【請求項４】
上記揺動フラップ（２０）が閉位置にきたときに、そのことを節度感をもって知らせるクリック手段（１６、２６）を備える、請求項１〜３のいずれか１つに記載のガーゼカウントホルダ。
【発明の詳細な説明】
【技術分野】
【０００１】
本発明は、複数枚のガーゼについて、その数を明確に把握した上で保持することのできるガーゼカウントホルダに関する。
【背景技術】
【０００２】
ガーゼカウントホルダは、代表的には、手術に際して使用される。手術においては、止血等のために複数枚のガーゼが使用されるが、手術で開けた体内に誤ってガーゼを残したまま傷口を縫合してしまうという医療ミスがしばしば報告されている。
このような医療ミスは、手術前に用意したガーゼの数を明確に把握しておき、傷口を縫合する前に、同数のガーゼが（体外に）存在することを確認することで、確実に防ぐことができる。
【０００３】
このような目的で使用されるガーゼ計数手段は、特許文献１、２等に提案されている。
【先行技術文献】
【特許文献】
【０００４】
【特許文献１】特許第３４４７６５５号
【特許文献２】特開２００７-３３０４４５号公報
【発明の概要】
【発明が解決しようとする課題】
【０００５】
本発明の目的は、上述のような手術に際して使用するのに好適なガーゼカウントホルダであって、操作性に優れ、カウントミスを有効に防止できるよう改良されたものを提供することである。
【課題を解決するための手段および発明の効果】
【０００６】
本発明は、上記課題を有効に解決するために創案されたものであって、以下の特徴を供えたガーゼカウントホルダを提供する。
本発明のガーゼカウントホルダは、「保持するガーゼの枚数に等しい数の開口部」と「各開口部を部分的に閉止する揺動フラップ」とを備える。
（ア）揺動フラップは、上記開口部の全体を開口状態とする開位置と、同開口部を部分的に閉止する閉位置と、の間を揺動可能である。
（イ）上記開口部は、相対的に開口面積の大きな大開口領域と、相対的に開口面積の小さな小開口領域とを含む。
（ウ）上記開口部にガーゼを挿通した状態で、揺動フラップを閉位置まで揺動させると、大開口領域のみが実質的に閉止され、小開口領域にガーゼが保持される。
【０００７】
上記構成を有するガーゼカウントホルダにおいては、最初に、開口面積の大きな大開口領域にガーゼを挿通させるので、ガーゼのセットが容易となる。この状態で、揺動フラップを閉位置に揺動させると、大開口領域は閉止され、開口面積の小さな小開口領域のみが開口状態を維持し、この小開口領域に、ガーゼが確実に保持されることとなる。
つまり、開口部に対して簡単にガーゼをセットし、その後、揺動フラップを閉位置とすることで、ガーゼが確実に保持される。したがって、操作が容易で確実にガーゼを保持できる。
【０００８】
特に、小開口領域の開口面積が、実質上、ガーゼ１枚だけを保持できる拡がりを有するよう構成した場合には、ガーゼ総数のカウント結果に対する信頼性がさらに高くなる。
【図面の簡単な説明】
【０００９】
【図１】本発明の実施形態に係るガーゼカウントホルダの使用方法を説明する概略図。
【図２】図１のガーゼカウントホルダにおける揺動フラップの機能を説明する図。
【発明を実施するための形態】
【００１０】
本発明の実施形態を添付の図面を参照して以下に詳細に説明する。
【００１１】
≪基本構成≫
図１は、本発明の一実施形態に係るガーゼカウントホルダの使用方法を示す概略図である。詳細は後述するが、大雑把に言うと、まず、揺動フラップ２０を上に上げた状態（開位置）で、プレート８の開口部１０にガーゼ５を挿通する（図１ａ）。次に、揺動フラップ２０を閉位置まで揺動させて、ガーゼ５を保持する（図１ｂ）。
揺動フラップ２０を閉位置にしたとき、開口部の狭い一部領域（小開口領域）だけが開口状態に維持され、ここにガーゼ５が保持されることとなる。
【００１２】
図２は、本発明のガーゼカウントホルダを構成するプレート８を図示している。この実施形態では、ガーゼカウントホルダは、細長い平板状プレート８で構成され、その長さ方向に並ぶ５つの開口部１０を備える。各開口部１０は、相対的に開口面積の大きな大開口領域１１と、相対的に開口面積の小さな小開口領域１２と、を含んでいる。
主として、大開口領域１１はガーゼ５をセットするために、小開口領域１２はガーゼ５を保持するために、それぞれ使用される。
【００１３】
揺動フラップ２０は、各開口部１０の近傍に揺動可能に配置されていて、閉位置と開位置の間で揺動可能である。
開位置では、図１(ａ)および図２（ａ）に示したように、揺動フラップ２０は、上方に上げられて、開口部１０の全体を開口させる。
閉位置では、図１(ｂ)および図２（ｂ）に示したように、揺動フラップ２０は、開口部１０の大開口領域１１のみを実質上閉止して、小開口領域１２のみが開口状態に維持されて、ここにガーゼ５が保持される。
【００１４】
図１(ｂ)および図２（ｂ）から分かるように、揺動フラップ２０は、閉位置において、大開口領域１１を完全に閉止する必要はない。僅かな隙間が残っても、小開口領域１２にガーゼ５を保持するのに十分な程度に、大開口領域１１を閉止できれば足りる。
【００１５】
以上の構成を有する本発明のガーゼカウントホルダによれば、揺動フラップ２０が開位置にあるとき、開口面積の大きな大開口領域１１が開口しているので、簡単にガーゼ５を開口部１０に挿通させることができる（セットが簡単）。
その後、揺動フラップ２０を下方に揺動させて閉位置とすると、大開口領域１１は閉止され、開口面積の小さな小開口領域１２のみが開口状態を維持し、ここにガーゼ５が適正に保持・固定される（固定が簡単）。
【００１６】
≪各開口部に対して、ガーゼ１枚のみが確実に保持されるための構成≫
ガーゼカウントホルダにおいては、ガーゼの枚数を正確に把握できることが重要であるため、１つの開口部に対してガーゼが１枚だけ保持されることが確実となる構成が好ましい。
この目的を達成するための本発明の特徴は、次の通りである。
【００１７】
小開口領域の開口面積を、実質上、ガーゼ１枚だけを保持できる拡がりを有するよう設定しておく。ガーゼは柔軟な布材であるが、１枚のガーゼを丸める、あるいは折り畳む等して中間部分を適度な圧力をもって保持するとき、当該保持される部分の断面積が想定される。本発明においてこの断面積に要求される性質は、ガーゼの不要な抜け落ちが防止されるとともに、当該面積内に２枚のガーゼを保持することが、自然な力作業では明らかに困難となることである。
小開口領域の面積をそのように設定しておくことで（換言すると、ガーゼ１枚だけを保持できる拡がりとしておくことで）、もし誤って最初に１つの開口部１０内に２枚のガーゼを入れてしまった場合であっても、揺動フラップ２０を閉位置に揺動させる際に、その揺動操作がスムーズに行えないこととなるので、その時点で枚数の誤りに気付くことができ、余分な１枚を除去できる。
なお、そのような開口面積の具体的な値は、対象となるガーゼの大きさによって当然に異なるので、予め対象となるガーゼの大きさを決めた上で、ガーゼカウントホルダは製造されることとなる。
【００１８】
≪指掛かり部≫
上述の通り、揺動フラップ２０は開位置と閉位置の間を揺動するが、揺動フラップ２０を指で操作する場合、その操作が容易となるように、揺動フラップ２０に指掛かり部２５を設けている。つまり、図２（ａ）中のＡ−Ａ断面図に最も良く現れているように、揺動フラップ２０にはその周縁から立設する指掛かり部２５を有する。
勿論、具体的な指掛かり部２５の形状は、図示したものに限られず、指で操作するのに適していれば、適宜の形状を採用することが可能である。
【００１９】
≪位置固定手段およびクリック手段≫
揺動フラップ２０が閉位置にきたとき、その状態を固定する位置固定手段、あるいは、揺動フラップ２０が閉位置にきたときに、そのことを感覚的に知らせるクリック手段を設けることが好ましい。
具体的には種々の公知構成を採用できるが、例えば、図２中の部分拡大図に模式的に示したように、揺動フラップ２０を含めたプレート８全体を弾性材料で作成し、揺動フラップ２０の周縁に突起２６を、これに対応する開口部１０の周縁に凹部１６を、それぞれ形成する。そして、揺動フラップ２０が閉位置にきたときに、突起２６と凹部１６が係合することで、カチッカチッという節度感を伴う適度なクリックが与えられる。これにより、使用者は、直観的にそのことを認識できる。
同時に、突起２６と凹部１６が係合することで、揺動フラップ２０の位置が一時的に固定され、これが位置固定手段として機能する。ただし、位置固定手段とクリック手段を別々に設けることも可能であるし、具体的な構成についても、他の公知の構成を適宜採用することができる。
【００２０】
≪その他≫
開口部１０の具体的な形状は、図示したものに限られず、適宜変更を加えることが可能である。
また、図示した例では、ガーゼを保持する開口部の総数は５で、各揺動フラップ２０の表面には、カウントを容易にするためのナンバリングを付している。しかし、開口部の総数は必要に応じて適宜設定することが可能であり、ナンバリングの有無および具体的態様についても適宜変更が可能である。
【符号の説明】
【００２１】
５  ガーゼ
８  プレート
１０  開口部
１１  大開口領域
１２  小開口領域
１６  凹部
２０  揺動フラップ
２５  指掛かり部
２６  突起
【図１】
2012029985.tif 000003
【図２】
2012029985.tif 000004